(57)【要約】【課題】  設備経済的な負担を抑えつつ、タクシー会社やバス会社や運送会社等の事業所において実施可能で、しかも簡単な操作により一業務分の利用データを容易に出力可能なＥＴＣ利用データの処理装置を提供する。【解決手段】  ＥＴＣカード１０に記憶されている利用データを読み取るカードリーダ６と、複数のＥＴＣカード１０に記憶されている利用データをＥＴＣカード毎に１つのデータ群としてそれぞれ個別に記憶するデータ記憶手段８と、カードリーダ６にて読み取ったＥＴＣカード１０の利用データと、データ記憶手段８に記憶されている利用データとを照合して、一業務分の利用データを取得するデータ取得手段と、カードリーダ６にて読み取ったＥＴＣカード１０の利用データで、データ記憶手段８の利用データを更新するデータ更新手段と、データ取得手段にて取得した利用データを出力する出力手段７とを備えた。【選択図】        図１
2007026009.tif 000002
【特許請求の範囲】
【請求項１】
有料道路の料金所と車載機間で無線データ通信を行って、通行料金の収受処理を行うＥＴＣシステムで使用されるＥＴＣカードの利用データを、車載機を搭載した車両を保有する事業所においてデータ処理するＥＴＣ利用データの処理装置であって、
前記ＥＴＣカードに記憶されている利用データを読み取るカードリーダと、
複数のＥＴＣカードに記憶されている利用データをＥＴＣカード毎に１つのデータ群としてそれぞれ個別に記憶するデータ記憶手段と、
前記カードリーダにて読み取ったＥＴＣカードの利用データと、データ記憶手段に記憶されている利用データとを照合して、一業務分の利用データを取得するデータ取得手段と、
前記カードリーダにて読み取ったＥＴＣカードの利用データで、前記データ記憶手段の利用データを更新するデータ更新手段と、
前記データ取得手段にて取得した利用データを出力する出力手段と、
を備えたことを特徴とするＥＴＣ利用データの処理装置。
【請求項２】
前記データ取得手段では、カードリーダにて読み取ったＥＴＣカードの利用データと、データ記憶手段に記憶されている複数のデータ群の利用データとを順次照合して、同一データが含まれるデータ群が存在する場合には、当該ＥＴＣカードに記憶されている利用データのうち、該データ群における最新の同一データ以降に記憶されている利用データを、また前記同一データが含まれるデータ群が存在しない場合には、当該ＥＴＣカードに記憶されている利用データを、一業務分の利用データとして取得する請求項１記載のＥＴＣ利用データの処理装置。
【請求項３】
有料道路の料金所と車載機間で無線データ通信を行って、通行料金の収受処理を行うＥＴＣシステムで使用されるＥＴＣカードの利用データを、車載機を搭載した車両を保有する事業所においてデータ処理するＥＴＣ利用データの処理装置であって、
前記ＥＴＣカードに記憶されている利用データを読み取るカードリーダと、
前記ＥＴＣカードに付した識別情報を入力する入力手段と、
複数のＥＴＣカードに記憶されている利用データを識別情報とともにＥＴＣカード毎に１つのデータ群としてそれぞれ個別に記憶するデータ記憶手段と、
前記識別情報に基づいて、データ記憶手段に記憶されているデータ群の中から、カードリーダにて利用データを読み取ったＥＴＣカードに対応するデータ群を特定し、特定したデータ群の利用データとＥＴＣカードの利用データとを照合して、一業務分の利用データを取得するデータ取得手段と、
前記カードリーダにて読み取ったＥＴＣカードの利用データで、前記データ記憶手段のデータ群の利用データを更新するデータ更新手段と、
前記データ取得手段にて取得した利用データを出力する出力手段と、
を備えたことを特徴とするＥＴＣ利用データの処理装置。
【請求項４】
前記データ記憶手段に、最新の利用データを含む１乃至複数の利用データのみをＥＴＣカードに対応させて記憶する請求項１〜３のいずれか１項記載のＥＴＣ利用データの処理装置。
【請求項５】
乗務員のＩＤカードに記憶された乗務員データを読み取るＩＤカードリーダを設け、前記出力手段では乗務員データとデータ取得手段にて取得した利用データとを出力する請求項１〜４のいずれか１項記載のＥＴＣ利用データの処理装置。
【発明の詳細な説明】
【技術分野】
【０００１】
本発明は、ＥＴＣ（Electronic Toll Collection）カードの利用データから一業務分の利用データを取得するＥＴＣ利用データの処理装置に関する。
【背景技術】
【０００２】
有料道路の料金所と車載機間で無線データ通信を行って、通行料金の収受処理を行うことで、料金所をノンストップで通過できるように構成したＥＴＣ（Electronic Toll Collection）システムが普及しつつある。このＥＴＣシステムでは、車載機に挿入したＥＴＣカードにより利用者を特定できるように構成され、またＥＴＣカードには、入口料金所ＩＤと出口料金所ＩＤと通過時刻（課金時刻）と通行料金などを含む利用データが、有料道路を利用する毎に最大１００件前後記憶できるように構成されている。
【０００３】
ところで、ＥＴＣカードには、それを識別するための識別情報が予め記憶されているが、この識別情報は前記利用データとは異なり、利用者の個人情報が含まれている関係上、汎用のカードリーダでは読み取ることができないように構成され、識別情報に基づいてＥＴＣカードを特定できないように構成されている。このため、タクシー会社やバス会社や運送会社等の事業所のように、保有する車両の台数などに応じて複数枚のＥＴＣカードを利用する場合には、ＥＴＣカードに記憶されている情報だけでは、利用したＥＴＣカードを特定できないことから、次のようにして通行料金の収受処理を行っている。即ち、バス会社や運送会社等の事業所では、入庫後に事業所に設置の処理装置のカードリーダにＥＴＣカードの利用データを読み取らせるとともに、使用した日付をキー入力することで、一業務分の利用データを印刷し、これを用いて通行料金を処理できるように構成されている。また、タクシー会社においては、タクシーに搭載された領収書発行用のプリンターで有料道路を利用する都度、利用履歴をプリントアウトし、これを事業所にて処理するように構成されている（例えば特許文献１参照。）。
【０００４】
【特許文献１】特開２００１−３３８３１２号公報
【発明の開示】
【発明が解決しようとする課題】
【０００５】
前記バス会社や運送会社等の事業所に設置の処理装置では、有料道路を利用した日付を入力する必要があるので、その作業が煩雑であるとともに、利用日時が２日に跨る場合には、既に処理済みの利用データが印字されることがあった。特に、タクシー会社のように複数人で１台の車両を共用する場合には、先に利用した乗務員と次に利用した乗務員とが同日に有料道路を利用することがあり、その場合には、時間まで入力しないと、先に利用した乗務員の利用データが、次に利用した乗務員の利用データとともにプリントアウトされるという不具合が発生する。
【０００６】
また、タクシーのように領収書等を発行するプリンターを備えた車両においては、特許文献１記載のようにＥＴＣ利用データを処理することも可能であるが、バスやトラック等においてはこのようなプリンターを通常備えていないことから、特許文献１記載の技術を導入するためには、設備経済上に大きな負担を強いられることになる。また、プリンターにて発行した利用履歴を紛失することもあり、その管理が煩雑になるという問題もある。
【０００７】
本発明の目的は、設備経済的な負担を抑えつつ、タクシー会社やバス会社や運送会社等の事業所において実施可能で、しかも簡単な操作により一業務分の利用データを容易に出力可能なＥＴＣ利用データの処理装置を提供することである。
【課題を解決するための手段】
【０００８】
本発明者は、事業所に設置の処理装置にＥＴＣカードの利用データを読み取らせるだけで、一業務分の利用データを出力できる簡易な装置の開発について鋭意検討し、事業所で使用するＥＴＣカードの利用データを処理装置に順次記憶させ、利用後のＥＴＣカードの利用データと処理装置に記憶されている利用データを照合することで、一業務分の利用データを取得できると発想を得た。しかし、事業所では複数のＥＴＣカードを利用して業務が行われており、またＥＴＣカードにはそれを特定するための識別情報を読み取ることができないので、単にＥＴＣカードの利用データを処理装置に記憶させただけでは、どの利用データがＥＴＣカードに対応する利用データなのかを特定することができないことを見出し、更に鋭意検討して本発明を完成するに至った。
【０００９】
本発明に係る第１のＥＴＣ利用データの処理装置は、有料道路の料金所と車載機間で無線データ通信を行って、通行料金の収受処理を行うＥＴＣシステムで使用されるＥＴＣカードの利用データを、車載機を搭載した車両を保有する事業所においてデータ処理するＥＴＣ利用データの処理装置であって、前記ＥＴＣカードに記憶されている利用データを読み取るカードリーダと、複数のＥＴＣカードに記憶されている利用データをＥＴＣカード毎に１つのデータ群としてそれぞれ個別に記憶するデータ記憶手段と、前記カードリーダにて読み取ったＥＴＣカードの利用データと、データ記憶手段に記憶されている利用データとを照合して、一業務分の利用データを取得するデータ取得手段と、前記カードリーダにて読み取ったＥＴＣカードの利用データで、前記データ記憶手段の利用データを更新するデータ更新手段と、前記データ取得手段にて取得した利用データを出力する出力手段とを備えたものである。
【００１０】
この処理装置では、これをタクシー会社やバス会社や運送会社等の事業所に設置し、一業務の終了後に、この処理装置のカードリーダにＥＴＣカードの利用データを読み取らせることで、一業務分の有料道路の利用データを出力手段によりプリンタアウトしたり画面表示したりできる。より具体的には、カードリーダにて読み取った利用データと、データ記憶手段に記憶されている各データ群の利用データと照合して、データ記憶手段に記憶されているデータ群の中から、該ＥＴＣカードに対応するデータ群をデータ取得手段により特定し、該データ群の利用データとＥＴＣカードに記憶されていた利用データとを照合することで、今回の一業務分の利用データを取得し、これを出力手段で出力できる。つまり、事業所では複数のＥＴＣカードを利用することになるが、これら複数のＥＴＣカードにはそれぞれ異なる利用データが記憶されているので、ＥＴＣカードに記憶されている利用データと、データ記憶手段に記憶されている利用データとを照合することで、データ記憶手段に記憶されている複数のデータ群の中から、ＥＴＣカードに対応するデータ群を検出し、このデータ群の利用データとＥＴＣカードに記憶されている利用データとを照合することで、一業務分の利用データを取得できる。また、データ更新手段により、カードリーダにて読み取ったＥＴＣカードの利用データで、データ記憶手段の利用データを更新し、次に同じＥＴＣカードを利用した場合には、更新した利用データとＥＴＣカードに記憶されている利用データと照合することで、一業務分の利用データを取得することが可能となる。
【００１１】
ここで、前記データ取得手段では、カードリーダにて読み取ったＥＴＣカードの利用データと、データ記憶手段に記憶されている複数のデータ群の利用データとを順次照合して、同一データが含まれるデータ群が存在する場合には、当該ＥＴＣカードに記憶されている利用データのうち、該データ群における最新の同一データ以降に記憶されている利用データを、また前記同一データが含まれるデータ群が存在しない場合には、当該ＥＴＣカードに記憶されている利用データを、一業務分の利用データとして取得することができる。
【００１２】
本発明に係る第２のＥＴＣカード利用データの処理装置は、有料道路の料金所と車載機間で無線データ通信を行って、通行料金の収受処理を行うＥＴＣシステムで使用されるＥＴＣカードの利用データを、車載機を搭載した車両を保有する事業所においてデータ処理するＥＴＣ利用データの処理装置であって、前記ＥＴＣカードに記憶されている利用データを読み取るカードリーダと、前記ＥＴＣカードに付した識別情報を入力する入力手段と、複数のＥＴＣカードに記憶されている利用データを識別情報とともにＥＴＣカード毎に１つのデータ群としてそれぞれ個別に記憶するデータ記憶手段と、前記識別情報に基づいて、データ記憶手段に記憶されているデータ群の中から、カードリーダにて利用データを読み取ったＥＴＣカードに対応するデータ群を特定し、特定したデータ群の利用データとＥＴＣカードの利用データとを照合して、一業務分の利用データを取得するデータ取得手段と、前記カードリーダにて読み取ったＥＴＣカードの利用データで、前記データ記憶手段のデータ群の利用データを更新するデータ更新手段と、前記データ取得手段にて取得した利用データを出力する出力手段とを備えたものである。
【００１３】
この場合には、入力手段によりＥＴＣカードに付した識別情報を入力することで、データ記憶手段に記憶されている複数のデータ群の中から、カードリーダにて読み取ったＥＴＣカードに対応する利用データを含むデータ群を特定し、この特定したデータ群の利用データとカードリーダにて読み取ったＥＴＣカードの利用データとを照合することで、一業務分の利用データを取得し、これを出力手段にてプリントアウトしたり画面表示したりすることになる。識別情報としては、ＥＴＣカードに番号を付したり、バーコードなどを貼り付けたりすることができ、番号を付す場合には、テンキーなどの入力手段でＥＴＣカードの番号を入力するようにし、バーコードを付す場合には、入力手段としてバーコードリーダを設けることになる。
【００１４】
前記データ記憶手段に、最新の利用データを含む１乃至複数の利用データのみをＥＴＣカードに対応させて記憶することができる。データ記憶手段に対してＥＴＣカードの全ての利用データを記憶させることも可能であるが、本発明のように、最新の利用データを含む１乃至複数の利用データのみを記憶させると、ＥＴＣカードの利用データと照合するデータ記憶手段の利用データを少なくして、照合処理の処理能率を向上できるとともに、データ記憶手段の記憶容量を少なくできる。
【００１５】
乗務員のＩＤ(identification)カードに記憶された乗務員データを読み取るＩＤカードリーダを設け、前記出力手段では乗務員データとデータ取得手段にて取得した利用データとを出力することができる。この場合には、例えば乗務員データと利用データとを同一用紙にプリントアウト等できるので、クレジット会社から毎月送付される有料道路の通行料金の請求書とプリントアウトした利用履歴との照合して数値の合わなかったときに、乗務員データから有料道路を利用した乗務員を容易に特定できるので好ましい。
【発明の効果】
【００１６】
本発明に係る第１のＥＴＣ利用データの処理装置によれば、一業務の終了後に、この処理装置のカードリーダにＥＴＣカードの利用データを読み取らせるだけで、一業務分の有料道路の利用データを出力手段によりプリンタアウトしたり画面表示したりすることができる。このため、日付の入力等が不要となり、処理装置の操作性を大幅に向上できる。また、データ記憶手段に記憶されている各データ群の利用データとＥＴＣカードに記憶されている利用データとを比較照合することで、一業務分の利用データを取得できるので、業務が２日に跨った場合やタクシーのように同日に異なる乗務員が同一のＥＴＣカードを用いて有料道路を利用した場合においても、処理済みの利用データと今回の一業務分の利用データとを明確に区別して、今回の一業務分の利用データのみを出力することが可能となる。更に、ＥＴＣカードの構成を変更したり、車載装置の構成を変更したりする必要がないので、安価に実施することが可能となる。
【００１７】
本発明に係る第２のＥＴＣカード利用データの処理装置によれば、一業務の終了後に、この処理装置のカードリーダにＥＴＣカードの利用データを読み取らせるとともにＥＴＣカードの識別情報を入力するだけで、一業務分の有料道路の利用データを出力手段によりプリンタアウトしたり画面表示したりすることができる。このため、日付の入力等が不要となり、処理装置の操作性を大幅に向上できる。また、データ記憶手段に記憶されている各データ群の利用データとＥＴＣカードに記憶されている利用データとを比較照合することで、一業務分の利用データを取得するので、業務が２日に跨った場合やタクシーのように同日に異なる乗務員が同一のＥＴＣカードを用いて有料道路を利用した場合においても、処理済みの利用データと今回の一業務分の利用データとを明確に区別して、今回の一業務分の利用データのみを出力することが可能となる。更に、ＥＴＣカードの構成を変更したり、車載装置の構成を変更したりする必要がないので、安価に実施することが可能となる。
【００１８】
前記データ記憶手段に、最新の利用データを含む１乃至複数の利用データのみをＥＴＣカードに対応させて記憶すると、ＥＴＣカードの利用データと照合するデータ記憶手段の利用データを少なくして、照合処理の処理能率を向上できるとともに、データ記憶手段の記憶容量を少なくできる。
【００１９】
乗務員のＩＤカードに記憶された乗務員データを読み取るＩＤカードリーダを設け、前記出力手段では乗務員データとデータ取得手段にて取得した利用データとを出力すると、例えば乗務員データと利用データとを同一用紙にプリントアウト等できるので、クレジット会社から毎月送付される有料道路の通行料金の請求書とプリントアウトした利用履歴との照合して数値の合わなかったときに、乗務員データから有料道路を利用した乗務員を容易に特定できるので好ましい。
【発明を実施するための最良の形態】
【００２０】
次に、本発明の実施の形態について図面を参照しながら説明する。
図１に示すように、ＥＴＣ利用データの処理装置１は、ＣＰＵ（中央演算装置）２とＲＡＭ（ランダム  アクセス  メモリ）３とＲＯＭ（リード  オンリ  メモリ）４を主体として構成した制御手段５と、ＥＴＣカード１０に記憶された利用データを読み取り可能なカードリーダ６と、プリンタやディスプレイからなる出力手段７と、複数のＥＴＣカード１０に記憶された利用データをＥＴＣカード１０毎に個別に記憶するデータ記憶手段８とを備え、例えばバス会社やタクシー会社や運送会社などの事業所に設置され、入庫した乗務員が、利用したＥＴＣカード１０の利用データをこの処理装置１のカードリーダ６に読み取らせることで、一業務分のＥＴＣ利用データをプリントアウトしたり表示したりできるように構成したものである。尚、この処理装置１は、汎用のコンピュータを主体として構成することもできる。
【００２１】
ＥＴＣカード１０は、ＩＣカードからなる周知の構成のものであり、図示外の有料道路の料金所と車載機との間で無線データ通信を行って通行料金の収受処理を行うＥＴＣシステムで利用されるもので、このＥＴＣカード１０のメモリには、図２に示すように、有料道路を利用する毎に、入口料金所ＩＤと出口料金所ＩＤと通過時刻と通行料金などを含む利用データＡ１、Ａ２、Ａ３・・・が順次記憶され、例えば有料道路の利用回数で１００回分の利用データを記憶できるように構成されている。複数のＥＴＣカード１０を事業所で使用する場合には、入口料金所ＩＤと出口料金所ＩＤと通過時刻と通行料金とが同一になるケースは実際上考えられないので、異なるＥＴＣカード１０にはそれぞれ異なる利用データが順次記憶され、例えば図３に示すように、ＥＴＣカード１０Ａには利用データＡ１〜Ａ６が順次記憶され、ＥＴＣカード１０Ｂには利用データＢ１〜Ｂ４が順次記憶されることになる。但し、ＥＴＣカード１０を利用したＥＴＣシステム自体の構成は、周知のものであり、本件とは直接的に関係しないのでその詳細な説明を省略する。
【００２２】
データ記憶手段８には、ＥＴＣカード１０毎の利用データが１つのグループとして順次記憶される。具体的には、図４に示すように、２６枚のＥＴＣカード１０Ａ〜Ｚを用いる場合には、データ記憶手段８にはＥＴＣカード１０毎に複数の利用データをグループ化したデータ群Ａ〜Ｚが記憶されることになる。
【００２３】
次に、制御手段５でなされるＥＴＣ利用データの処理制御について、図５に示すフローチャートを参照しながら説明する。尚、図中Ｓｉ（ｉ＝１、２、３・・・）は各ステップを示すものである。
【００２４】
処理装置１に電源が投入されるとこの制御が開始され、カードリーダ６にてＥＴＣカード１０の利用データの読み取りが完了したか否かが判定され（Ｓ１）、利用データの読み取りが完了すると、Ｓ２において、ＥＴＣカード１０から読み取った利用データがデータ記憶手段８に記憶されている利用データと順次照合される。具体的には、カードリーダ６にて読み取ったＥＴＣカード１０の利用データが図３（ａ）に示すように利用データＡ１〜Ａ６の場合には、利用データＡ１〜Ａ６と、図４に示すデータ記憶手段８に記憶されているデータ群Ａ〜Ｚの利用データとを順次照合することになる。
【００２５】
そして、Ｓ２において同一データを含む利用データがデータ記憶手段８に存在しない場合には、ＥＴＣカード１０に記憶されている利用データを取得して（Ｓ３）、取得した利用データを１つのデータ群としてデータ記憶手段８に記憶させるとともに（Ｓ４）、この取得した利用データを出力手段７でプリントアウトしたり画面表示したりすることになる（Ｓ５）。処理装置１の利用当初は、データ記憶手段８には利用データが記憶されていないので、事業所で保有するＥＴＣカード１０の利用データをカードリーダ６にて順次読み取らせて、各ＥＴＣカード１０に記憶されている複数の利用データを１つのデータ群としてデータ記憶手段８に順次記憶させることになる。また、新しいＥＴＣカード１０を用いた場合には、対応するデータ群がデータ記憶手段８に存在しないので、取得した利用データを１つのデータ群としてデータ記憶手段８に記憶させるとともに、取得した利用データを一業務分の利用データとして、出力手段７から出力することになる。
【００２６】
Ｓ２において同一データを含むデータ群がデータ記憶手段８に存在する場合、つまり過去に同一ＥＴＣカード１０の利用データをカードリーダ６にて読み取ったことがあり、データ記憶手段８に当該ＥＴＣカード１０に記憶されている利用データと同一データが存在する場合には、ＥＴＣカード１０に記憶されている利用データのうちの、最新の同一データ以降の利用データが一業務分の利用データとして取得され（Ｓ６）、取得した利用データをデータ記憶手段８の対応するデータ群に追加してデータ更新するとともに（Ｓ７）、取得した利用データを一業務分の利用データとして出力手段７から出力することになる（Ｓ５）。具体的には、カードリーダ６にて読み取ったＥＴＣカード１０の利用データが、図３（ａ）に示すように利用データＡ１〜Ａ６で、データ記憶手段８に同一データＡ１〜Ａ４を含むデータ群Ａが存在する場合には、最新の同一データＡ４以降の利用データＡ５、Ａ６が一業務分の利用データとして取得され、この利用データＡ５、Ａ６をデータ記憶手段８のデータ群Ａに追加更新するとともに、出力手段７にて利用データＡ５、Ａ６を出力することになる。尚、Ｓ３、Ｓ６がデータ取得手段に相当し、Ｓ４、Ｓ７がデータ更新手段に相当する。
【００２７】
このように、ＥＴＣカード１０に記憶されている利用データと、予めデータ記憶手段８に記憶させた利用データとを照合することで、データ記憶手段８に記憶されているデータ群の中から、利用データを読み取ったＥＴＣカード１０に対応するデータ群を特定し、この特定したデータ群の利用データとＥＴＣカード１０に記憶されている利用データとを対比することで、一業務分の利用データを出力させることができる。つまり、処理装置１に対して日付けなどを入力することなく、ＥＴＣカード１０の利用データを読み取らせるだけで、一業務分の利用データを容易に出力させることができる。また、日付けに依存しないので、２日に跨った業務を行った場合や、１日の中で複数人が同一ＥＴＣカード１０を利用した場合でも、出力した利用データが重複するなどの混乱を確実に防止できる。
【００２８】
次に、前記実施の形態を部分的に変更した他の実施の形態について説明する。尚、前記実施の形態と同一部材には同一符号を付して、その詳細な説明を省略する。
【００２９】
図６に示すように、この処理装置２０では、前記処理装置１に対して入力手段２１を設け、ＥＴＣカード１０毎に異なる識別情報を付した識別部２２をＥＴＣカード１０の外面に設け、データ処理するＥＴＣカード１０の識別情報を入力手段２１で入力できるように構成したものである。
【００３０】
入力手段２１としては、ＥＴＣカード１０の識別情報の内容に応じて設定することができ、例えば識別情報が文字や数字の場合には、キーボードやテンキーやマウスを用いることができ、バーコードの場合にはバーコードリーダを用いることができる。識別部２２は、サインペン等により文字や数字などの識別情報を直接に書き込んだり、文字や数字やバーコードなどの識別情報をプリントしたシールを貼り付けたりすることで、ＥＴＣカード１０の外面に設けることになる。
【００３１】
データ記憶手段８には、ＥＴＣカード１０に対応させて記憶して利用データとともにＥＴＣカード１０の識別情報が利用データと関連付けて記憶され、例えば図７に示すように、識別情報Ａが利用データＡ１〜Ａ４と関連付けて記憶され、識別情報Ｂが利用データＢ１〜Ｂ４と関連付けて記憶されるなど、識別情報Ａ〜Ｚにそれぞれ関連付けて対応するＥＴＣカードの利用データがそれぞれ記憶されている。
【００３２】
次に、この処理装置２０の制御手段５でなされるＥＴＣ利用データの処理制御について、図８に示すフローチャートを参照しながら説明する。尚、図中Ｓｉ（ｉ＝１０、１１、１２・・・）は各ステップを示すものである。
【００３３】
処理装置２０に電源が投入されるとこの制御が開始され、カードリーダ６にてＥＴＣカード１０の利用データの読み取りが完了したか否かが判定されるとともに（Ｓ１０）、該ＥＴＣカード１０の識別情報が入力手段２１により入力されたか否かが判定される（Ｓ１１）。カードリーダ６による利用データの読み取りが完了し、入力手段２１によるＥＴＣカード１０の識別情報の入力が完了すると、データ記憶手段８に対応する識別情報が記憶されているか否かが判定される（１２）。
【００３４】
そして、Ｓ１２において対応する識別情報がデータ記憶手段８に存在しないと判定された場合には、前記実施の形態におけるＳ３〜Ｓ５と同様に、ＥＴＣカード１０に記憶されている利用データを取得して（Ｓ１３）、取得した利用データを識別情報とともに１つのデータ群としてデータ記憶手段８に記憶するとともに（Ｓ１４）、この取得した利用データを出力手段７でプリントアウトしたり画面表示したりすることになる（Ｓ１５）。処理装置１の利用当初は、データ記憶手段８には利用データが記憶されていないので、事業所で保有する全てのＥＴＣカード１０の利用データをカードリーダ６にて順次読み取るとともに、ＥＴＣカード１０の識別情報を順次入力して、ＥＴＣカード１０に記憶されている複数の利用データを識別情報とともに１つのデータ群としてデータ記憶手段８に順次記憶させ、ＥＴＣカード１０の利用データと識別情報とをデータ記憶手段８に記憶させることになる。また、新しいＥＴＣカード１０を用いた場合には、対応する識別情報がデータ記憶手段８に存在しないので、取得した利用データと該ＥＴＣカード１０の識別情報とを１つのデータ群としてデータ記憶手段８に記憶させるとともに、取得した利用データを一業務分の利用データとして、出力手段７から出力することになる。
【００３５】
Ｓ１２において対応する識別情報がデータ記憶手段８に存在すると判定された場合、つまり過去に同一ＥＴＣカード１０の利用データをカードリーダ６にて読み取ったことがあり、データ記憶手段８に当該ＥＴＣカード１０の識別情報が記憶されている場合には、該識別情報が記憶されているデータ群の最新データ以降にＥＴＣカード１０に記憶された利用データが一業務分の利用データとして取得され（Ｓ１６）、取得した利用データをデータ記憶手段８の対応するデータ群に追加してデータ更新するとともに（Ｓ１７）、取得した利用データを一業務分の利用データとして出力手段７から出力することになる（Ｓ１５）。具体的には、入力手段２１にて入力された識別情報が識別情報Ａの場合には、データ記憶手段８の識別情報Ａに対応する利用データＡ１〜Ａ４のうち、最新の利用データ４Ａ以降にＥＴＣカード１０に記憶された利用データＡ５、Ａ６が一業務分の利用データとして取得され、データ記憶手段８の識別情報Ａに対応するデータ群に利用データＡ５、Ａ６を追加してデータ更新するとともに、出力手段７にて利用データＡ５、Ａ６を出力することになる。尚、Ｓ１３、Ｓ１６がデータ取得手段に相当し、Ｓ１４、Ｓ１７がデータ更新手段に相当する。
【００３６】
このように、ＥＴＣカード１０にそれぞれ付した識別情報に基づいて、データ記憶手段８に記憶されているデータ群の中から、ＥＴＣカード１０に対応するデータ群を特定し、この特定したデータ群の利用データとＥＴＣカード１０に記憶されている利用データとを対比することで、一業務分の利用データを出力させることができる。つまり、処理装置２０に対して日付けなどを入力することなく、ＥＴＣカード１０の利用データを読み取るだけで、一業務分の利用データを容易に出力させることができる。また、日付けに依存しないので、２日に跨った業務を行った場合や、１日の中で複数人が同一ＥＴＣカード１０を利用した場合でも、出力した利用データが重複するなどの混乱を確実に防止できる。
【００３７】
尚、前記２つの実施の形態において、図１、図６に仮想線で示すように、前記処理装置１に乗務員データを予め記憶させた磁気カードやＩＣカードなどからなるＩＤカード１１を読み取るＩＤカードリーダ１２を設けてもよい。この場合には、Ｓ３又はＳ６、Ｓ１３又はＳ１６において取得した利用データを、Ｓ５又はＳ１５において出力する際に、ＩＤカード１１に記憶されている乗務員データと合わせて例えばプリントアウトさせることが好ましい。このように構成すると、クレジット会社から毎月送付される有料道路の通行料金の請求書とプリントアウトした利用履歴との照合して数値の合わなかったときに、有料道路を利用した乗務員を容易に特定できるので好ましい。尚、乗務員データは、ＩＤカード１１を用いないで、キーボードやテンキーやマウスなどの入力手段を用いて直接入力することも可能である。
【００３８】
前記２つの実施の形態では、ＥＴＣカード１０の利用データの全てを各データ群の利用データとしてデータ記憶手段８に記憶するように構成したが、データ記憶手段８の各データ群に記憶する利用データとして、最新の利用データを含む１乃至複数の利用データのみをＥＴＣカード１０に対応させて記憶させることもできる。例えば、図９に示すように、最新の利用データのみをＥＴＣカード１０毎に記憶し、この最新の利用データとＥＴＣカード１０の利用データとを照合することで、ＥＴＣカード１０に対応するデータ群を特定し、この利用データ以降に記憶されたＥＴＣカード１０の利用データを一業務分の利用データとして出力することができる。このように、データ記憶手段８に記憶させる利用データの個数を少なくすると、利用データの照合時間を大幅に短縮できるとともに、データ記憶手段８のメモリ容量を小さく設定することができる。
【図面の簡単な説明】
【００３９】
【図１】ＥＴＣ利用データの処理装置における制御系のブロック図
【図２】ＥＴＣカードに記憶されている利用データの説明図
【図３】（ａ）（ｂ）は異なるＥＴＣカードに記憶されている利用データの説明図
【図４】データ記憶手段に記憶されている利用データの説明図
【図５】ＥＴＣ利用データ処理のルーチンのフローチャート
【図６】他の構成のＥＴＣ利用データの処理装置における制御系のブロック図
【図７】同処理装置のデータ記憶手段に記憶されている利用データの説明図
【図８】同処理装置によるＥＴＣ利用データ処理のルーチンのフローチャート
【図９】他の構成のデータ記憶手段に記憶されている利用データの説明図
【符号の説明】
【００４０】
１      処理装置            ２      ＣＰＵ
３      ＲＡＭ              ４      ＲＯＭ
５      制御手段            ６      カードリーダ
７      出力手段            ８      データ記憶手段
１０    ＥＴＣカード        １０Ａ  ＥＴＣカード
１０Ｂ  ＥＴＣカード        １１    ＩＤカード
１２    カードリーダ        ２０    処理装置
２１    入力手段            ２２    識別部
【図１】
2007026009.tif 000003
【図２】
2007026009.tif 000004
【図３】
2007026009.tif 000005
【図４】
2007026009.tif 000006
【図５】
2007026009.tif 000007
【図６】
2007026009.tif 000008
【図７】
2007026009.tif 000009
【図８】
2007026009.tif 000010
【図９】
2007026009.tif 000011